【手続補正書】
【提出日】平成15年9月8日(2003.9.8)
【手続補正１】
【補正対象書類名】明細書
【補正対象項目名】特許請求の範囲
【補正方法】変更
【補正の内容】
【特許請求の範囲】
【請求項１】
外周に球受部を複数設け、回動して遊技球を流路に排出するスプロケットと、
前記スプロケットを回動させるパルスモータと、
流路を通過する遊技球をカウントするための球検出センサと、
賞球要求あるいは貸球要求に基づいて排出する目標数を設定し、前記球検出センサにより検出される球検出数が前記目標数分となるように前記パルスモータを駆動して遊技球を排出させる制御を行う排出制御手段と、
を備えた遊技機において、
前記排出制御手段は、
前記目標数分の遊技球を排出する場合に、前記目標数分の作動をするように前記パルスモータを駆動制御すると共に、排出用タイマを作動させ、前記排出用タイマのタイムアップ時間が経過するまでに前記球検出数が前記目標数分とならなかったときには、前記目標数と一致するように残数分の遊技球を排出する補正制御を行うものとし、
前記補正制御の累積回数が判定基準以上となったか否かを監視する監視手段を備え、
前記監視手段により前記補正制御の累積回数が前記判定基準以上と判定された場合に、排出に関わる異常の予告報知を行うことを特徴とする遊技機。
【請求項２】
外周に球受部を複数設け、回動して遊技球を流路に排出するスプロケットと、
前記スプロケットを回動させるパルスモータと、
流路を通過する遊技球をカウントするための球検出センサと、
賞球要求あるいは貸球要求に基づいて排出する目標数を設定し、前記球検出センサにより検出される球検出数が前記目標数分となるように前記パルスモータを駆動して遊技球を排出させる制御を行う排出制御手段と、
を備えた遊技機において、
前記排出制御手段は、
前記目標数分の遊技球を排出する場合に、前記目標数分の作動をするように前記パルスモータを駆動制御すると共に、排出用タイマを作動させ、前記排出用タイマのタイムアップ時間が経過するまでに前記球検出数が前記目標数分とならなかったときには、前記目標数と一致するように残数分の遊技球を排出する補正制御を行うものとし、
電源投入後の賞球排出処理および貸球排出処理の総数のうち、前記補正制御が必要とされた頻度が判定基準以上となったか否かを監視する監視手段を備え、
前記監視手段により前記補正制御の頻度が前記判定基準以上と判定された場合に、排出に関わる異常の予告報知を行うことを特徴とする遊技機。
【請求項３】
前記監視手段は、
前記異常予告報知を行うための判定基準よりも大きい値となる別の判定基準を有し、
前記監視手段により前記別の判定基準以上と判定された場合に、遊技の進行を停止する遊技進行停止手段を備えたことを特徴とする請求項１または請求項２に記載の遊技機。
【請求項４】
排出の記憶を遊技機の電源ＯＦＦ後にもバックアップしておくバックアップ手段を備え、前記監視手段による監視および判定はこのバックアップ手段によってバックアップされたデータをも含めて行われるようにしたことを特徴とする請求項１から請求項３のいずれか一つに記載の遊技機。
【手続補正２】
【補正対象書類名】明細書
【補正対象項目名】０００５
【補正方法】変更
【補正の内容】
【０００５】
【課題を解決するための手段】
第１の発明では、外周に球受部を複数設け、回動して遊技球を流路に排出するスプロケットと、前記スプロケットを回動させるパルスモータと、流路を通過する遊技球をカウントするための球検出センサと、賞球要求あるいは貸球要求に基づいて排出する目標数を設定し、前記球検出センサにより検出される球検出数が前記目標数分となるように前記パルスモータを駆動して遊技球を排出させる制御を行う排出制御手段と、を備えた遊技機において、前記排出制御手段は、前記目標数分の遊技球を排出する場合に、前記目標数分の作動をするように前記パルスモータを駆動制御すると共に、排出用タイマを作動させ、前記排出用タイマのタイムアップ時間が経過するまでに前記球検出数が前記目標数分とならなかったときには、前記目標数と一致するように残数分の遊技球を排出する補正制御を行うものとし、前記補正制御の累積回数が判定基準以上となったか否かを監視する監視手段を備え、前記監視手段により前記補正制御の累積回数が前記判定基準以上と判定された場合に、排出に関わる異常の予告報知を行う。


【手続補正３】
【補正対象書類名】明細書
【補正対象項目名】０００６
【補正方法】変更
【補正の内容】
【０００６】
第２の発明では、外周に球受部を複数設け、回動して遊技球を流路に排出するスプロケットと、前記スプロケットを回動させるパルスモータと、流路を通過する遊技球をカウントするための球検出センサと、賞球要求あるいは貸球要求に基づいて排出する目標数を設定し、前記球検出センサにより検出される球検出数が前記目標数分となるように前記パルスモータを駆動して遊技球を排出させる制御を行う排出制御手段と、を備えた遊技機において、前記排出制御手段は、前記目標数分の遊技球を排出する場合に、前記目標数分の作動をするように前記パルスモータを駆動制御すると共に、排出用タイマを作動させ、前記排出用タイマのタイムアップ時間が経過するまでに前記球検出数が前記目標数分とならなかったときには、前記目標数と一致するように残数分の遊技球を排出する補正制御を行うものとし、電源投入後の賞球排出処理および貸球排出処理の総数のうち、前記補正制御が必要とされた頻度が判定基準以上となったか否かを監視する監視手段を備え、前記監視手段により前記補正制御の頻度が前記判定基準以上と判定された場合に、排出に関わる異常の予告報知を行う。


【手続補正４】
【補正対象書類名】明細書
【補正対象項目名】０００７
【補正方法】変更
【補正の内容】
【０００７】
第３の発明では、前記監視手段は、前記異常予告報知を行うための判定基準よりも大きい値となる別の判定基準を有し、前記監視手段により前記別の判定基準以上と判定された場合に、遊技の進行を停止する遊技進行停止手段を備えた。


【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】変更
【補正の内容】
【００１４】
第４の発明では、排出の記憶を遊技機の電源ＯＦＦ後にもバックアップしておくバックアップ手段を備え、前記監視手段による監視および判定はこのバックアップ手段によってバックアップされたデータをも含めて行われるようにした。


【手続補正１２】
【補正対象書類名】明細書
【補正対象項目名】００１５
【補正方法】変更
【補正の内容】
【００１５】
【発明の作用および効果】
第１、第２の発明では、目標数と一致するように残数分の遊技球を排出する補正制御の累積回数あるいは頻度が判定基準を超えて大きくなったと監視手段が判定すると、排出に関わる異常の予告報知を行う。したがって、排出関連の異常（故障）が実際に発生する前（致命的なものとなる前）に、危険の段階（補正制御が通常よりも多く必要とされるようになった段階）で報知がなされるので、異常発生または異常発生の可能性に対する対応を排出関連の動作に問題が生じ始めた初期の段階から行うことができ、故障発生による遊技の進行への影響を最小限とすることができる。


【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】変更
【補正の内容】
【００１８】
また、第３の発明では、監視手段により異常予告報知を行うための判定基準よりも大きい別の判定基準以上と判定された場合に、遊技の進行を停止するので、遊技機の状態に応じた対応を各判定基準にふさわしいものとなるようにフレキシブルに設定できる。


【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】削除
【補正の内容】
【手続補正１８】
【補正対象書類名】明細書
【補正対象項目名】００２１
【補正方法】変更
【補正の内容】
【００２１】
また、第４の発明では、監視手段による監視および判定は、バックアップされたデータをも含めてなされるので、遊技機の状態を電源ＯＦＦ以前の状態をも含めて判定することができる。


【手続補正１９】
【補正対象書類名】明細書
【補正対象項目名】００４５
【補正方法】変更
【補正の内容】
【００４５】
また、排出制御装置２００は、発射制御装置５００に発射イネーブル信号を送信して、打球発射装置５５０からの遊技球発射を禁止する。また、排出に関する異常が発生した場合には、エラー表示器８６にこの異常発生を報知させる。